(57)【要約】【課題】ハートカム式ロック装置の破損を防止する。【解決手段】ハートカム式ロック装置１０は、揺動可能なロックピン２６と、ロックピン２６と係合する凹部２２ｄを有するハートカム２２と、を備える。ハートカム２２は回転可能に支持される。ロックピン２６とハートカム２２の凹部２２ｄとが係合した状態でロックピン２６がハートカム２２に所定値以上の力で押し付けられたとき、ハートカム２２が回転してロックピン２６とハートカム２２の凹部２２ｄとの係合状態が解除される。【選択図】図２
2008296616.tif 000002
【特許請求の範囲】
【請求項１】
揺動可能なロックピンと、
前記ロックピンと係合する凹部を有するハートカムと、
を備えたハートカム式ロック装置であって、
前記ハートカムは回転可能に支持されることを特徴とするハートカム式ロック装置。
【請求項２】
前記ロックピンと前記ハートカムの凹部とが係合した状態で前記ロックピンが前記ハートカムに所定値以上の力で押し付けられたとき、前記ハートカムが回転して前記ロックピンと前記ハートカムの凹部との係合状態が解除されることを特徴とする請求項１に記載のハートカム式ロック装置。
【請求項３】
前記ロックピンが前記ハートカムを押し付ける力の作用線上に、前記ハートカムの回転中心が位置しないよう構成されることを特徴とする請求項１または２に記載のハートカム式ロック装置。
【請求項４】
回転した前記ハートカムを所定の位置に復帰させる復帰手段をさらに備えることを特徴とする請求項１から３のいずれかに記載のハートカム式ロック装置。
【発明の詳細な説明】
【技術分野】
【０００１】
本発明は、車両の灰皿や小物入れなどの収納装置に用いられるハートカム式ロック装置に関する。
【背景技術】
【０００２】
従来より、車両の室内には、灰皿や小物入れなどの引き出しがスライドする収納装置が設けられている。これらの収納装置には、車両走行中に引き出しが飛び出ないように、引き出しの移動をロックするロック装置が設けられている。このロック装置の一例として、ハートカムを用いたハートカム式ロック装置が知られている（たとえば、特許文献１、２参照）。
【０００３】
このハートカム式ロック装置は、車体側のケースに設けられたロックピンと、引き出し側に設けられたハートカムと、を備えている。ハートカム式ロック装置を用いた収納装置では、引き出しがケース内に収納された状態のとき、ハートカムの凹部にロックピンが係合することにより、引き出しがケース内にロックされるようになっている。また、引き出しをケースから引き出す場合には、引き出しを一旦ケース側に押し込むと、ハートカムの凹部とロックピンの係合が外れ、ロックが解除されるようになっている。
【特許文献１】特開２００６−２９４６３７号公報
【特許文献２】特開２００５−３１９９４８号公報
【発明の開示】
【発明が解決しようとする課題】
【０００４】
上述のようなハートカム式ロック装置を用いた収納装置において、引き出しをケースから引き出す際に、ユーザが誤って引き出しを引っ張って抜き出そうと試みた場合、過度の力でロックピンがハートカムに押し付けられることにより、装置が破損してしまうおそれがある。
【０００５】
本発明はこうした状況に鑑みてなされたものであり、その目的は、ハートカム式ロック装置の破損を防止できる技術を提供することにある。
【課題を解決するための手段】
【０００６】
上記課題を解決するために、本発明のある態様のハートカム式ロック装置は、揺動可能なロックピンと、ロックピンと係合する凹部を有するハートカムと、を備えたハートカム式ロック装置であって、ハートカムは回転可能に支持される。
【０００７】
この態様によると、ハートカムを回転可能としたことにより、ロックピンがハートカムに押し付けられた場合に、ハートカムが回転してロックピンとハートカムの凹部の係合が外れる。その結果、ロックが速やかに解除され、ハートカム式ロック装置の破損を防止できる。
【０００８】
ロックピンとハートカムの凹部とが係合した状態でロックピンがハートカムに所定値以上の力で押し付けられたとき、ハートカムが回転してロックピンとハートカムの凹部との係合状態が解除されてもよい。この力の所定値は、ロックピンやハートカムが破損する臨界値よりも小さい値に設定することが好ましい。
【０００９】
ロックピンがハートカムを押し付ける力の作用線上に、ハートカムの回転中心が位置しないよう構成されてもよい。この場合、ロックピンがハートカムを押し付ける力が働いたときに、ハートカムをスムーズに回転させることができるので、ハートカム式ロック装置の破損を効果的に防止できる。
【００１０】
回転したハートカムを所定の位置に復帰させる復帰手段をさらに備えてもよい。この場合、回転したハートカムを手動により所定の位置に戻す作業が不要となるので、ハートカム式ロック装置の使い勝手が向上する。
【発明の効果】
【００１１】
本発明によれば、ハートカム式ロック装置の破損を防止できる。
【発明を実施するための最良の形態】
【００１２】
（第１の実施の形態）
図１は、本発明の第１の実施の形態に係るハートカム式ロック装置１０を備えた収納装置１００を示す図である。図１に示す収納装置１００は、たとえば車両のダッシュボードなどに装着され、灰皿やコインボックスとして用いられる。
【００１３】
収納装置１００は、一側面部が開口された箱形状のケース１４と、ケース１４の開口した側面部から出し入れ可能に設けられた引き出し１２と、を備える。引き出し１２は、ケース１４の内面に設けられた図示しないレールに摺動可能に保持されている。
【００１４】
引き出し１２は、ドア部１６と、ドア部１６に取り付けられた箱体１８と、を備える。引き出し１２がケース１４に収納された状態において、ドア部１６は、ケース１４側面部の開口を覆う位置に、箱体１８はケース１４内部の空間に位置する。箱体１８とケース１４との間には、引き出し１２をケース１４から押し出す方向に付勢する弾性部材２０が設けられている。
【００１５】
箱体１８の底部１８ａと、ケース１４の底部１４ａの間の空間には、ハートカム式ロック装置１０が設けられている。ハートカム式ロック装置１０は、引き出し１２側に設けられたカム部４０と、ケース１４側に設けられたロックピン部４２と、を備える。カム部４０はハートカム２２と、ガイド壁３２とを有し、ロックピン部４２はロックピン２６を有する。後述するように、ハートカム２２は、ハートカム回転軸２４により回転可能に支持されている。また、ロックピン２６は、ロックレバー２８、ロックレバー支持軸３０により揺動可能に支持されている。
【００１６】
引き出し１２がケース１４に収納された状態のとき、ロックピン２６はハートカム２２の凹部に係合しており、引き出し１２の移動がロックされた状態となっている。このロック状態のときに引き出し１２をケース１４側に押圧すると、ハートカム２２とロックピン２６との係合が外れ、引き出し１２が弾性部材２０によりケース１４外部へ押し出される。図１には図示していないが、弾性部材２０による引き出し１２の押し出し速度を制限するための速度制限機構を設けてもよい。この速度制限機構は、ダンパやギヤなどにより構成できる。
【００１７】
図２は、ハートカム式ロック装置１０の概略構成を説明するための図である。上述したように、ハートカム式ロック装置１０は、カム部４０と、ロックピン部４２と、を備える。図２では、引き出し１２がケース１４から引き出されたときのカム部４０とロックピン部４２を示している。
【００１８】
カム部４０は、引き出し１２の移動に伴って移動する。ケース１４に引き出し１２を収納する場合、カム部４０は、図２に示す矢印Ａの方向、すなわちロックピン部４２と接近する方向に移動する。一方、ケース１４から引き出し１２を引き出す場合、カム部４０は、図２に示す矢印Ｂの方向、すなわちロックピン部４２から離間する方向に移動する。
【００１９】
ロックピン部４２は、ロックレバー２８と、ロックレバー２８の一方の端に設けられたロックピン２６とを備える。ロックレバー２８の他方の端は、ロックレバー支持軸３０を介してケース１４の底部１４ａに回転可能に支持されている。これにより、ロックピン２６は左右方向に揺動可能となっている。
【００２０】
カム部４０は、ハートカム２２と、ガイド壁３２とを備える。ガイド壁３２は、箱体１８の底部１８ａに形成されている。ガイド壁３２は、外形がコの字形状であり、開口面がロックピン部４２側に位置するよう形成されている。ガイド壁３２の内面には、ガイド壁３２の開口面と反対側の面に、ロックピン２６の移動を停止させる第１凹部３２ａと第２凹部３２ｂとが形成されている。また、ガイド壁３２の開口面近傍には、ロックピン２６を適切な位置に案内するための突出部３２ｃが形成されている。
【００２１】
ガイド壁３２内部の第１凹部３２ａおよび第２凹部３２ｂと、突出部３２ｃとの間の空間には、ハートカム２２が設けられている。ハートカム２２は、ハート形状に形成されており、第１頂部２２ａと、第２頂部２２ｂと、第３頂部２２ｃと、を有する。そして、第１頂部２２ａと第２頂部２２ｂとの間には、凹部２２ｄが形成されている。
【００２２】
ハートカム２２の第３頂部２２ｃは、ハートカム回転軸２４を介して箱体１８の底部１８ａに回転可能に支持されている。ここで、ハートカム式ロック装置１０の通常の使用状態におけるハートカム２２の位置を、「ハートカム通常位置」と呼ぶ。図２に示すハートカム２２は、ハートカム通常位置に位置している。ハートカム通常位置において、ハートカム２２の第１頂部２２ａは、ガイド壁３２の第１凹部３２ａと対向する位置に、ハートカム２２の第２頂部２２ｂは、ガイド壁３２の第２凹部３２ｂと対向する位置に、それぞれ位置している。
【００２３】
ハートカム２２の第１頂部２２ａと第３頂部２２ｃの間には、切り欠き部２２ｅが形成されている。また、箱体１８の底部１８ａには、ハートカム通常位置においてハートカム２２の切り欠き部２２ｅに係合する位置に、ストッパ部材３４が突設されている。さらに、ハートカム２２の第３頂部２２ｃには、図示しない板バネが設けられている。この板バネは、ハートカム２２をストッパ部材３４に押し付けるように、すなわち、ハートカム２２が反時計回りに回転するように付勢している。このストッパ部材３４と板バネにより、通常の使用状態におけるハートカム２２の位置が、ハートカム通常位置に維持される。
【００２４】
図３は、ロックピン２６の移動経路を説明するための図である。本実施の形態では、ケース１４に対して引き出し１２を移動させた場合、実際にはロックピン２６に対してカム部４０が移動するが、図３では便宜上、ロックピン２６が移動するものとして示している。
【００２５】
ケース１４から引き出し１２が引き出された状態から、引き出し１２をケース１４内に押し込んでいくと、ロックピン２６はガイド壁３２の斜面により案内されて、ガイド壁３２の突出部３２ｃの先端部に至る。さらに引き出し１２が押し込まれると、ロックピン２６は、ハートカム２２の第１頂部２２ａと第３頂部２２ｃの間の斜面により案内されて、ガイド壁３２の第１凹部３２ａまで移動する。
【００２６】
ロックピン２６が第１凹部３２ａに係合すると、引き出し１２をそれ以上押し込めなくなるので、ここで押し込みを止めると、引き出し１２は弾性部材２０の付勢力により押し出され、ハートカム２２の凹部２２ｄに係合する。ロックピン２６とハートカム２２の凹部２２ｄが係合した状態では、弾性部材２０の付勢力による引き出し１２の移動がロックされる。
【００２７】
引き出し１２のロックを解除する際には、引き出し１２をケース１４側に押し込む。このとき、ロックピン２６は、ハートカム２２の凹部２２ｄから離れ、ガイド壁３２の第２凹部３２ｂに向かう。ロックピン２６が第２凹部３２ｂに係合すると、それ以上押し込めなくなるので、押し込みを止めると、弾性部材２０の付勢力により引き出し１２は押し出される。弾性部材２０の付勢力によりロックピン２６は突出部３２ｃの斜面に沿って移動し、最終的にガイド壁３２の外部へと移動する。
【００２８】
以上のように構成されたハートカム式ロック装置１０において、ロックピン２６がハートカム２２の凹部２２ｄに係合してロックされている状態のとき、ユーザが引き出し１２を引き出そうとすると、ロックピン２６がハートカム２２に押し付けられることにより、ハートカム２２の凹部２２ｄに力Ｎが働く。この力Ｎは、引き出し１２が引き出される方向に働く。本実施の形態に係るハートカム式ロック装置１０においては、ロックピン２６がハートカム２２を押し付ける力Ｎの作用線上に、ハートカム２２の回転中心が位置しないよう構成することが好ましい。このように構成することにより、ロックピン２６をスムーズに回転させることができる。
【００２９】
図４は、ロックピン２６とハートカム２２の凹部２２ｄとの係合が外れる様子を示す図である。ロックピン２６がハートカム２２に押し付けられたときに働く力Ｎが所定値Ｎ０以上の場合、ハートカム２２は、第３頂部２２ｃに設けた板バネの付勢力に抗して、ハートカム回転軸２４を中心として時計回りに回転する。この回転により、ロックピン２６とハートカム２２の凹部２２ｄとの係合が外れ、ロックが解除される。所定値Ｎ０は、ロックピン２６やハートカム２２が破損する臨界値よりも小さい値に設定することが好ましい。
【００３０】
ロックピン２６とハートカム２２の凹部２２ｄとの係合が外れた後、ハートカム２２は、第３頂部２２ｃに設けられた板バネの付勢力により、反時計回りに回転する。ハートカム２２の回転は、ストッパ部材３４により停止される。このようにして、回転したハートカム２２をハートカム通常位置に復帰させることができる。回転したハートカム２２を手動によりハートカム通常位置に戻す作業が不要となるので、ハートカム式ロック装置１０の使い勝手が向上する。
【００３１】
以上のように、本実施の形態に係るハートカム式ロック装置１０では、ロックピン２６がハートカム２２に押し付けられた場合に、ハートカム２２が回転してロックピン２６とハートカム２２の凹部２２ｄの係合が外れる。その結果、ロック状態が速やかに解除されるので、ハートカム式ロック装置１０の破損を防止できる。
【００３２】
（第２の実施の形態）
図５は、本発明の第２の実施の形態に係るハートカム式ロック装置２１０を備えた収納装置２００を示す図である。図１に示す収納装置１００と同一または対応する構成要素には同様の符号を付すと共に、重複する説明は適宜省略する。
【００３３】
図２に示すハートカム式ロック装置２１０は、カム部２４０と、ロックピン部２４２と、を備える。カム部２４０は、ハートカム２２２と、ガイド壁２３２と、を備える。本実施の形態では、ハートカム２２２は、箱体１８の底部１８ａに固定されている。
【００３４】
ロックピン部２４２は、ロックレバー２２８と、ロックレバー２２８の一方の端に設けられたロックピン２２６と、を備える。ロックレバー２２８の他方の端は、ロックレバー支持軸２３０を介してケース１４の底部１４ａに回転可能に支持されている。これにより、ロックピン２２６は左右方向に揺動可能となっている。
【００３５】
本実施の形態では、ロックレバー２２８の略中央部２２８ａにおいて、ロックレバー２２８が折れ曲がるように形成されている。さらに、ロックレバー２２８の下面には、板バネ２５０が設けられている。この板バネ２５０は、通常の使用状態において、ロックレバー２２８が折れ曲がらずに、真っ直ぐな状態を保つように付勢している。
【００３６】
以上のように構成された収納装置２００において、ロックピン２２６がハートカム２２２の凹部２２２ｄに係合してロックされている状態のとき、ユーザが引き出し１２を引き出そうとすると、ロックピン２２６がハートカム２２２に押し付けられることにより、ロックレバー２２８が板バネ２５０の付勢力に抗して矢印Ｃの方向に折れ曲がる。これにより、ロックピン２２６とハートカム２２２の凹部２２２ｄとの係合が外れるので、ハートカム式ロック装置２１０が破損するのを防止できる。
【００３７】
ハートカム２２２の凹部２２２ｄには、図５に示すように、傾斜面が設けられることが好ましい。このように、ハートカム２２２の凹部２２２ｄに傾斜面を設けることにより、ロックピン２２６とハートカム２２２の凹部２２２ｄとの係合をスムーズに外すことができる。
【００３８】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【図面の簡単な説明】
【００３９】
【図１】本発明の第１の実施の形態に係るハートカム式ロック装置を備えた収納装置を示す図である。
【図２】ハートカム式ロック装置の概略構成を説明するための図である。
【図３】ロックピンの移動経路を説明するための図である。
【図４】ロックピンとハートカムの凹部との係合が外れる様子を示す図である。
【図５】本発明の第２の実施の形態に係るハートカム式ロック装置を備えた収納装置を示す図である。
【符号の説明】
【００４０】
１０  ハートカム式ロック装置、  １２  引き出し、  １４  ケース、  ２０  弾性部材、  ２２  ハートカム、  ２２ｄ  凹部、  ２４  ハートカム回転軸、  ２６  ロックピン、  ３０  ロックレバー支持軸、  ３２  ガイド壁、  ３４  ストッパ部材、  ４０  カム部、  ４２  ロックピン部、  １００  収納装置。
【図１】
2008296616.tif 000003
【図２】
2008296616.tif 000004
【図３】
2008296616.tif 000005
【図４】
2008296616.tif 000006
【図５】
2008296616.tif 000007